(57)【特許請求の範囲】
【請求項１】
トイレ用のロールペーパーを支持するホルダー本体と、該ロールペーパーから繰り出したペーパーを切断する切断機構部と、を有するペーパーホルダーであって、
上記切断機構部は、上記ホルダー本体に装着される枠体と、該枠体の内側に設けられた繰出口及び壁部と、を有しており、上記ロールペーパーから引き出した上記ペーパーを、上記壁部の内面側となる上記枠体の内部に挿入し、上記繰出口を通して上記壁部の外面上に繰り出すように構成されており、
上記枠体の内部には、先端に切断刃が設けられるとともに基端に回動軸が設けられた可動刃を、該回動軸を介して回動自在に枢着し、さらに上記壁部で該切断刃と対応する箇所に貫通孔を設けることにより、上記切断刃は、上記貫通孔から上記枠体の内部に引き込まれた待機位置と、上記貫通孔から上記壁部の外面上に出現した切断位置との２つの位置の間を、上記可動刃の回動に応じて変位可能に構成されており、
上記枠体の内部には、カム部材が回動自在に取り付けられ、該カム部材には、上記繰出口を通して繰り出す際の上記ペーパーを当接させることができるように上記繰出口の内側に配置される当接部と、上記ペーパーを上記枠体の内面に押さえ付ける押付部と、を設け、上記ペーパーの繰り出しに際して、該ペーパーを該当接部に当接させることにより、該カム部材が上記枠体の内部で回動し、該押付部で上記ペーパーを上記枠体の内面に押し付けて、固定するように構成されているとともに、
上記カム部材には押圧部が設けられ、上記可動刃の基端からは、該カム部材の該押圧部に向かって操作部が差し出されており、上記カム部材の回動に際して該押圧部が該操作部を押圧することにより、上記可動刃が回動されて、上記切断刃が上記待機位置から上記切断位置へと変位するように構成されている
ことを特徴とするペーパーホルダー。
【請求項２】
上記切断刃が待機位置となる方向に上記可動刃の回動方向を常に付勢する付勢手段を設けた
請求項１に記載のペーパーホルダー。
【請求項３】
上記枠体の内部には、上記カム部材の上記押付部との間で上記ペーパーを挟み込んで固定する凸部を設けた
請求項１又は請求項２に記載のペーパーホルダー。
【請求項４】
上記切断機構部は、上記ロールペーパーの上方に配置される
請求項１から請求項３の何れか一項に記載のペーパーホルダー。
【発明の詳細な説明】
【技術分野】
【０００１】
本発明は、ロールペーパーから繰り出したペーパーを片手で切断することができるペーパーホルダーに関するものである。
【背景技術】
【０００２】
通常、ペーパーホルダーは、枠状をなすホルダー本体と、ロールペーパーを回転可能に支持する支持軸と、該ロールペーパーの上部を覆うような曲面状の押さえ板と、を有しており、該ホルダー本体に支持軸を着脱可能に、かつ押さえ板を上下方向に回動自在に取り付けて構成されている。そして、ペーパーの切断時には、片方の手で該ロールペーパーからペーパーを適度な長さで引き出し、もう片方の手で押さえ板を押さえつつ、該押さえ板先端のエッジにペーパーを当てて引っ張る、という操作を行う。
しかし、上記した通常のペーパーホルダーの場合、ペーパーの切断に際して両方の手の使用が前提となっており、特に身障者や高齢者等のような右半身や左半身が不自由な者や、片麻痺などで片手しか自由に使えない者には使用が難しいため、ペーパーを片手で切断することができるように構成したペーパーホルダーが提供されている（例えば、特許文献１，特許文献２参照）。
上記ペーパーを片手で切断することができるように構成したペーパーホルダーは、板状をなすカッター部材を備えている。該カッター部材の先端には切断刃が設けられており、また先端と基端との間の中間部には回動軸が設けられている。該カッター部材は、ペーパーを繰り出す進路上に該切断刃が配置されるように、ペーパーホルダーに該回動軸を介して枢着されている。そして、ペーパーを切断する際には、該ペーパーを切断刃に押し当てることにより、該カッター部材が該回動軸を中心に回動し、該カッター部材の基端がペーパーを押さえ付けることで、片手でペーパーを切断可能としている。
また上記従来のペーパーホルダーは、上記ペーパーを切断しようと上記切断刃に押し当てる力を利用し、上記カッター部材を回動させ、該カッター部材の基端でペーパーを押さえ付ける構成としているが、該基端でペーパーを押さえ付ける力が弱いので、エッジ状の切断刃では切断時にペーパーが滑ってしまい、該ペーパーをきれいに切断することができない。このため上記従来のペーパーホルダーは、切断刃を鋸歯状とし、該切断刃の該ペーパーに対する切断能力を向上させるとともに、該切断刃に手指が触れないように、該切断刃を外側から安全カバーで覆う構成とし、切断時には該安全カバーがカッター部材に対して回動することで、該切断刃を露出させるようになっている。
【先行技術文献】
【特許文献】
【０００３】
【特許文献１】特開２００８−２９７７６号公報
【特許文献２】実用新案第３０３０１２２号公報
【発明の概要】
【発明が解決しようとする課題】
【０００４】
ところが、上記従来のペーパーホルダーは、切断刃が外部に露出して配置されており、さらに上記安全カバーは、手指で触れると簡単に回動し、該切断刃を外部に露出させてしまうので、誤って手指が切断刃に触れたときの安全性が十分でないという問題があった。
加えて、ペーパーの切断時に該ペーパーを切断刃に押し当てるときには、カッター部材が回動することで逃げるように動く切断刃に対し、これを追いかけるように該ペーパーを動かす必要があるので、該切断刃による該ペーパーの切断力が好適に発揮されず、さらにペーパーを引く手を大きく動かさなければならないという問題があった。
本発明は、このような従来技術に存在する問題点に着目してなされたものであり、その目的とするところは、十分な安全性を有するとともに、片手でペーパーを簡易かつ好適に切断することができるペーパーホルダーを提供することにある。
【課題を解決するための手段】
【０００５】
上記の目的を達成するために、請求項１に記載のペーパーホルダーは、トイレ用のロールペーパーを支持するホルダー本体と、該ロールペーパーから繰り出したペーパーを切断する切断機構部と、を有するペーパーホルダーであって、上記切断機構部は、上記ホルダー本体に装着される枠体と、該枠体の内側に設けられた繰出口及び壁部と、を有しており、上記ロールペーパーから引き出した上記ペーパーを、上記壁部の内面側となる上記枠体の内部に挿入し、上記繰出口を通して上記壁部の外面上に繰り出すように構成されており、上記枠体の内部には、先端に切断刃が設けられるとともに基端に回動軸が設けられた可動刃を、該回動軸を介して回動自在に枢着し、さらに上記壁部で該切断刃と対応する箇所に貫通孔を設けることにより、上記切断刃は、上記貫通孔から上記枠体の内部に引き込まれた待機位置と、上記貫通孔から上記壁部の外面上に出現した切断位置との２つの位置の間を、上記可動刃の回動に応じて変位可能に構成されており、上記枠体の内部には、カム部材が回動自在に取り付けられ、該カム部材には、上記繰出口を通して繰り出す際の上記ペーパーを当接させることができるように上記繰出口の内側に配置される当接部と、上記ペーパーを上記枠体の内面に押さえ付ける押付部と、を設け、上記ペーパーの繰り出しに際して、該ペーパーを該当接部に当接させることにより、該カム部材が上記枠体の内部で回動し、該押付部で上記ペーパーを上記枠体の内面に押し付けて、固定するように構成されているとともに、上記カム部材には押圧部が設けられ、上記可動刃の基端からは、該カム部材の該押圧部に向かって操作部が差し出されており、上記カム部材の回動に際して該押圧部が該操作部を押圧することにより、上記可動刃が回動されて、上記切断刃が上記待機位置から上記切断位置へと変位するように構成されていることを要旨とする。
請求項２に記載の発明は、請求項１に記載のペーパーホルダーの発明において、上記切断刃が待機位置となる方向に上記可動刃の回動方向を常に付勢する付勢手段を設けたことを要旨とする。
請求項３に記載の発明は、請求項１又は請求項２に記載のペーパーホルダーの発明において、上記枠体の内部には、上記カム部材の上記押付部との間で上記ペーパーを挟み込んで固定する凸部を設けたことを要旨とする。
請求項４に記載の発明は、請求項１から請求項３の何れか一項に記載のペーパーホルダーの発明において、上記切断機構部は、上記ロールペーパーの上方に配置されることを要旨とする。
【発明の効果】
【０００６】
〔作用〕
本発明のペーパーホルダーによれば、切断機構部において枠体の内部に回動自在に枢着された可動刃は、先端の切断刃を、壁部上に設けられた貫通孔から枠体の内部に引き込まれた待機位置と、該貫通孔から壁部の外面上に出現した切断位置との２つの位置の間で変位できるように構成されている。そして、該切断刃を待機位置とすることにより、該切断刃に誤って手指が触れることを抑制することができ、該ペーパーホルダーに十分な安全性を付与することができる。
上記切断機構部において枠体の内部にはカム部材が枢着されており、該カム部材は、ペーパーを繰り出す繰出口の内側に配置されるように当接部が設けられて、該当接部に繰り出し時のペーパーが当接することにより、回動するように構成されたものである。該カム部材には、ペーパーを上記枠体の内面に押さえ付ける押付部が設けられているので、ペーパーの当接によって回動したカム部材は、該押付部で該ペーパーを上記枠体の内面に押さえ付けるため、ペーパーを繰り出す片手の操作のみで、切断時にペーパーが動かないように固定することができる。
上記カム部材には押圧部が設けられ、上記可動刃からは該押圧部に向かって操作部が差し出されており、上記カム部材の回動に伴い、該押圧部が該操作部を押圧することにより、上記可動刃が回動されて、上記切断刃が上記待機位置から上記切断位置へと変位する。このため、ペーパーを繰り出す片手の操作のみで、切断刃が切断位置へと変位し、またペーパーを繰り出す操作の間、該押圧部が該操作部を押圧した状態が保たれて、該切断刃は切断位置に保持される。従って、切断刃の変位操作がペーパーを繰り出す操作に連動され、かつペーパーの切断時に該切断刃が動かないので、ペーパーを引く手を大きく動かすことなく、また切断刃によるペーパーの切断力が好適に発揮され、片手でペーパーを簡易かつ好適に切断することができる。
また上記ペーパーホルダーにおいては、上記切断刃が待機位置となる方向に上記可動刃の回動方向を常に付勢する付勢手段を設けることにより、ペーパーの切断時以外は、切断刃が常に待機位置に維持されるので、該ペーパーホルダーにさらに十分な安全性を付与することができるようになる。
また上記ペーパーホルダーにおいては、上記枠体の内部に上記カム部材の上記押付部との間で上記ペーパーを挟み込んで固定する凸部を設けることにより、ペーパーの切断時に該ペーパーをしっかりと固定することができるので、片手でペーパーを良好に切断することができるようになる。
また上記ペーパーホルダーにおいては、上記切断機構部を上記ロールペーパーの上方に配置することにより、ペーパーを引き下ろす動作で切断することができるので、片手でペーパーをさらに簡易に切断することができるようになる。
【０００７】
〔効果〕
本発明にあっては、十分な安全性を有するとともに、片手でペーパーを簡易かつ好適に切断することができるペーパーホルダーを提供することが出来る。
【図面の簡単な説明】
【０００８】
【図１】実施形態のペーパーホルダーを示す斜視図。
【図２】ホルダー本体を示す（ａ）は分解斜視図、（ｂ），（ｃ）は一部を破断した平断面図。
【図３】切断機構部を示す（ａ）は斜視図、（ｂ）は側断面図。
【図４】切断機構部にペーパーを装着する状態を示す側断面図。
【図５】切断機構部にペーパーを装着した状態を示す側断面図。
【図６】切断機構部からペーパーを繰り出す状態を示す側断面図。
【図７】切断機構部から繰り出したペーパーを手前に引っ張る状態を示す側断面図。
【図８】切断機構部から繰り出したペーパーを切断する状態を示す側断面図。
【発明を実施するための形態】
【０００９】
以下、本発明を具体化した一実施形態について説明する。
図１に示すように、ペーパーホルダー１０は、トイレ用のロールペーパー（図示略）を支持するホルダー本体１１と、該ロールペーパーから繰り出したペーパー（図示略）を切断する切断機構部１２と、を有している。該ペーパーホルダー１０は、ホルダー本体１１に設けられた固定部材１３を介して、トイレの壁やポータブルトイレのアームレストなどに固定される。該ペーパーホルダー１０は、片手でペーパーを簡易かつ好適に切断することができるという観点から、高齢者や障害者、特に半身麻痺などによって片手のみしか使用出来ない者が使用するポータブルトイレに適用することが望ましい。よって本実施形態におけるペーパーホルダー１０は、固定部材１３を介して、ポータブルトイレのアームレストを下方から支持する支持柱１に固定されているものとする。
【００１０】
図２（ａ）〜（ｃ）に示すように、上記ホルダー本体１１は、正面視で略Ｌ字状をなす支柱１４を有しており、該支柱１４の下端には、上記固定部材１３に連結するためのアーム部１５が設けられている。
上記支柱１４の一面（図２（ａ）中で手前側となる面）には、上記ロールペーパーを支持するための支持アーム１６が、横方向へ略水平に延設されている。該支持アーム１６の先端には、板状の抜止部１６Ａが設けられており、該抜止部１６Ａによって該支持アーム１６に支持されたロールペーパーの抜け落ちを抑制している。
上記支柱１４の上面には、取付座１４Ａが凹設されているとともに、該取付座１４Ａの内面からは、差込片１４Ｂが上方に向かって延設されている。該取付座１４Ａ及び該差込片１４Ｂは、上記切断機構部１２を上記ホルダー本体１１に装着するためのものである。
上記固定部材１３は、平面視で四半円状をなす中空の略箱状に形成され、円弧状をなす一面が開放されることにより、上記アーム部１５が挿入される連結孔１３Ａが形成されている。また該固定部材１３の内部には、上記アーム部１５を連結するための連結軸１３Ｂが設けられている。該連結軸１３Ｂの周面には、複数の凹条１３Ｃが上下方向に延びるように所定間隔おきに凹設されている。
上記アーム部１５は、平面視Ｃ環をなす筒状に形成されており、側方に開放された切欠部分１５Ａを有している。該アーム部１５の内周面上で、上記切欠部分１５Ａの対向位置には、１つの突条１５Ｂが上下方向に伸びるように形成されている。
【００１１】
上記ホルダー本体１１を上記支持柱１に固定する際には、まず上記固定部材１３が、開放されていない面（図２（ａ）中で奥側となる面）を装着面１３Ｄとし、該装着面１３Ｄを上記支持柱１の表面に当接させ、ネジやピン等を使用することにより、該支持柱１に固定される。
次いで、上記固定部材１３の連結軸１３Ｂに、上記アーム部１５が嵌着される。該嵌着は、アーム部１５の切欠部分１５Ａを連結軸１３Ｂに押し当て、該アーム部１５の内側へ該連結軸１３Ｂを圧入することによって行う。
そして該連結軸１３Ｂに嵌着された該アーム部１５は、内面に設けられた突条１５Ｂと、該連結軸１３Ｂの何れかの凹条１３Ｃとが相互に係合することにより、上記固定部材１３に対する該連結軸１３Ｂを中心とした回動を抑制されるので、上記支柱１４が所定角度で固定される（図２（ｂ）参照）。
上記固定部材１３の上記支持柱１への固定時においては、使用者の事情に応じ、左右何れかのアームレストの支持柱１のうち、該使用者にとって使い勝手が良い側に該固定部材１３は固定される。従って、上記支持柱１に対する該固定部材１３の取り付けの向きに応じ、該固定部材１３に対する上記アーム部１５の嵌着の方向は変更可能であり、例えば図２（ｃ）に示すように、固定部材１３を図２（ｂ）と左右逆向きにした場合、上記アーム部１５の嵌着の方向も上記切欠部分１５Ａが左向きになる方向に変更される。
また上記固定部材１３に対して上記支柱１４を強い力で略水平方向に動かすことにより、上記アーム部１５は、上記切欠部分１５Ａを広げるようにして変形することで拡径されるので、突条１５Ｂと、凹条１３Ｃとの係合が解除され、固定部材１３に対する支柱１４の角度を変更することができる。さらに、固定部材１３に対する支柱１４の角度変更後、突条１５Ｂと、他の凹条１３Ｃとを係合させることで、上記支柱１４が異なる角度で固定される（図２（ｂ）中に二点鎖線で示す）。結果、上記ペーパーの切断時において、ペーパーを引っ張る時の力で上記支柱１４が上記固定部材１３に対して回動してしまうことを防ぎ、該ペーパーを好適に引っ張ることができる。
【００１２】
図３（ａ），（ｂ）に示すように、上記切断機構部１２は、上記ホルダー本体１１に装着される枠体２１を有している。該枠体２１は、左右一対の側板２２Ａ，２２Ｂと、該側板２２Ａ，２２Ｂの前端の間に架設された前梁２３と、該側板２２Ａ，２２Ｂの後端の間に架設された裏蓋２４と、から構成されている。該裏蓋２４は、一方の側板２２Ａに対してヒンジ２４Ａを介して連結されており、該ヒンジ２４Ａを中心に回動することで、開閉自在に構成されている（図４参照）。また左右一対の側板２２Ａ，２２Ｂの下面には、それぞれ挿着スリット２５が形成されている。上記ホルダー本体１１の上記支持柱１への固定の向きに応じて、左右一対の側板２２Ａ，２２Ｂの何れかの挿着スリット２５が選択され、該選択された挿着スリット２５に上記支柱１４の上記差込片１４Ｂが挿着されることにより、上記支柱１４の取付座１４Ａに上記枠体２１が装着され、固定される。
上記枠体２１の内側には、壁部２６が設けられている。また該壁部２６を、その後端縁が上記裏蓋２４から離れるように配置することにより、該枠体２１の内側には、繰出口２７が設けられている。さらに該壁部２６の前端部には、該壁部２５を厚み方向に貫通するようにして、貫通孔２８が形成されている。そして、上記ロールペーパーから引き出したペーパーＰは、上記壁部２６の内面側となる上記枠体２１の内部に下方から挿入され、上記繰出口２７を通って上記壁部２６の外面上に繰り出されて、貫通孔２８上に至るように構成されている（図５〜図８参照）。
【００１３】
上記枠体２１の内部には、可動刃３１が設けられている。該可動刃３１は平面視で略板状に形成され、その先端には切断刃３２が、壁部２５の先端部に設けられた貫通孔２８へ向かって立設されている。該切断刃３２は鋸歯状とすることにより、ペーパーＰに対する切断力の向上が図られている。
上記可動刃３１の基端には、回動軸３３が設けられている。該回動軸３３を介して上記枠体２１の内部に枢着されることにより、該可動刃３１は、該枠体２１の内部で上下方向に回動自在に構成されている。該可動刃３１が上下方向に回動することにより、上記切断刃３２は、上記貫通孔２８から上記枠体２１の内部に引き込まれた待機位置（図３（ｂ）参照）と、上記貫通孔２８から上記壁部２６の外面上に出現した切断位置（図８参照）と、の２つの位置の間を変位できるように構成されている。
上記可動刃３１の基端において、回動軸３３の周面上からは、上記裏蓋２４の方向である後方へ向かって操作部３４が差し出されている。該操作部３４の下面には、付勢手段である第１バネ部材３５が配設されている。該第１バネ部材３５は、その先端を上記操作部３４の下面に接触させており、該操作部３４を常に上方へ向かって付勢している。該操作部３４が該第１バネ部材３５によって付勢されることにより、上記可動刃３１は、回動軸３３を中心にして下方へ回動するように常に付勢されており、結果、切断刃３２は待機位置に保持されている。
【００１４】
上記枠体２１の内部において、上記可動刃３１の基端から差し出された上記操作部３４と、上記裏蓋２４との間には、カム部材３６が配設されている。該カム部材３６は、略軸状に形成され、軸３７を介して上記枠体２１の内部に、該軸３７を中心として回動自在に取り付けられている。
上記カム部材３６の周面の上部には、当接部３８が、上記繰出口２７の内側に配置されるように突設されている。該当接部３８は、側面視で扇状に形成されることにより、曲面からなる当接面３８Ａを有している。該当接面３８Ａには、上記繰出口２７を通して繰り出す際の上記ペーパーＰが当接されるように構成されている（図５参照）。そして、上記ペーパーＰを繰り出す際に、該ペーパーＰを引っ張ることにより、該ペーパーＰを当接された当接部３８が該引っ張り方向に押され、上記カム部材３６が回動されるように構成されている（図６〜図８参照）。また当接面３８Ａを曲面とすることにより、上記当接部３８への当接時に上記ペーパーＰが該当接部３８に引っ掛かって繰り出し不能になることを抑制している。
【００１５】
上記カム部材３６の周面の下部において、上記裏蓋２４と向かい合う箇所には、平面状の押付部３９が形成されている。該押付部３９と対応する位置となるように、上記枠体２１の内部において、上記枠体２１の内面である上記裏蓋２４の内面上には、凸部４０が突設されている。該押付部３９及び凸部４０は、切断時において上記ペーパーＰを挟み込んで固定するべく設けられたものである（図８参照）。すなわち、該押付部３９は、上記カム部材３６が回動した際に上記凸部４０に接近し、上記ペーパーＰを該凸部４０に押し付けることにより、該凸部４０との間で上記ペーパーＰを挟持して固定する。
上記凸部４０は、先端面が曲面とされており、上記ペーパーＰを間に挟んで上記押付部３９と接触する際の接触面積を小さくすることにより、該押付部３９が該凸部４０に上記ペーパーＰを押し付ける力を小面積に集中させて、該押し付ける力を好適に発揮出来るように構成されている。また上記カム部材３６と上記裏蓋２４との間には、該凸部４０を挟むようにして上下一対のテンションバー４１が設けられている。上下一対のテンションバー４１は、これらの間における上記ペーパーＰの弛みを抑制するためのものであり、上記押付部３９と上記凸部４０との間で上記ペーパーＰを挟持する際に、該押付部３９が該凸部４０に上記ペーパーＰを押し付ける力が上記ペーパーＰの弛みによって無為に消費されることを防止している。
【００１６】
上記カム部材３６の周面の前部には押圧部４２が、上記可動刃３１の基端から差し出された上記操作部３４の上方に位置するように突設されている。該押圧部４２は、上記カム部材３６の回動に際して上記操作部３４に接触し、かつ上記操作部３４を下方へ押圧するように構成されている。そして該押圧部４２は、上記操作部３４を押圧することによって上記可動刃３１を回動させ、上記切断刃３２を待機位置から切断位置に変位させる。また該押圧部４２によって上記操作部３４が下方へ押圧されている間、上記切断刃３２は切断位置に保持される。
上記カム部材３６の下面には、付勢手段である第２バネ部材４３が配設されている。該第２バネ部材４３は、その先端を上記カム部材３６の下面に接触させており、該カム部材３６を上方向、つまり上記操作部３４から押圧部４２を離隔させる方向であり、かつ上記凸部４０から上記押付部３９を離隔させる方向に常に付勢している。従って上記カム部材３６は、第２バネ部材４３によって付勢されることにより、上記ペーパーＰを繰り出す際の該ペーパーＰの引っ張りを止めることで、上記操作部３４の押圧が解除され、上記押付部３９による上記ペーパーＰの固定が解除されるように構成されている。
【００１７】
上記切断機構部１２へのペーパーＰの装着について説明する。
ペーパーＰの装着時には、図４に示すように、裏蓋２４を開け、ロールペーパーから引き出したペーパーＰを下方から枠体２１の内部に挿入するとともに、該ペーパーＰの先端部が繰出口２７よりも外部へ繰り出されるように配置した後、裏蓋２４を閉じる。すると、図５に示すように、一対のテンションバー４１の間を凸部４０が押圧し、該ペーパーＰに張力を加えることで、該ペーパーＰの枠体２１内部からの抜け落ちが抑制され、切断機構部１２へのペーパーＰの装着が完了する。また装着が完了した後、ペーパーＰは、所望時にすぐに使えるようにするべく、繰出口２７から所定量繰り出されて、上記壁部２６の外面上に載置して保持される。
【００１８】
上記切断機構部１２を用いたペーパーＰの切断について説明する。
ペーパーＰの切断時には、図６に示すように、まず壁部２６の外面上に載置保持されているペーパーＰを片手でつまみ上げ、そのまま斜め上方へ真っ直ぐに引っ張る。このときペーパーＰは、上記カム部材３６の当接面３８Ａに摺接するのみで、該カム部材３６を回動させておらず、ほぼ抵抗なく繰出口２７から繰り出される。
上記ペーパーＰの繰り出しが所望量となったら、該ペーパーＰを切断するべく、ペーパーＰをつまむ片手を下ろすと、図７に示すように、該ペーパーＰが当接面３８Ａを介してカム部材３６の当接部３８を押し、該カム部材３６が第２バネ部材４３の付勢力に抗して回動し始める。また該カム部材３６の回動開始に伴い、押圧部４２が操作部３４を押圧することで、可動刃３１が第１バネ部材３５の付勢力に抗して回動し始め、
切断刃３２が待機位置から切断位置へ移動し始める。
図８に示すように、上記ペーパーＰが切断刃３２に接触するまでに該カム部材３６は、押付部３９で該ペーパーＰを上記枠体２１の内面に設けられた凸部４０に押し付け、該ペーパーＰを固定する。また該カム部材３６の押圧部４２によって操作部３４が押圧されたままの状態にある可動刃３１は、回動して切断刃３２が切断位置となった状態で保持される。そして切断位置に保持されている切断刃３２にペーパーＰを押し当てることで、ペーパーＰが切断される。
ペーパーＰが切断された後、片手で引っ張る力が該ペーパーＰに加わらなくなるので、図５に示すように、カム部材３６は、第２バネ部材４３の付勢力によって元の位置へ迅速に回動し、また可動刃３１は、第１バネ部材３５の付勢力によって元の位置へ迅速に回動し、切断刃３２が切断位置から待機位置へと移動する。そしてペーパーＰの先端部は、壁部２６の外面上に載置保持される。
【００１９】
上記切断機構部１２を用いたペーパーＰの切断作業は、ペーパーＰを片手でつまんで引っ張り、下ろすという極めて単純かつ小さな動作で完了させることができる。すなわち、ペーパーＰを切断するべく引っ張っている間、ペーパーＰは押付部３９によって凸部４０に押し付けられて固定されるので、該引っ張る力をペーパーＰに有効に伝えることができ、さらに切断刃３２は切断位置に保持されるため、切断時に該切断刃３２が動いたり逃げたりすることがないので、該ペーパーＰは綺麗かつ好適に切断され、また切断刃３２を追いかけるようにしてペーパーＰをつまむ手を大きく動かす必要がない。
また上記カム部材３６は、ペーパーＰを切断するべく引っ張る動作で回動されるものであるため、切断作業の完了後は、ペーパーＰに引っ張る力が加わらなくなり、上記カム部材３６の押圧部４２による操作部３４の押圧が解除されるので、切断刃３２は待機位置へ迅速に移動する。つまり該切断刃３２は、ペーパーＰを切断しようと引っ張っている時を除き、待機位置に保持されているので、外部に露出しておらず、従って切断刃３２に誤って手指が触れることがない。結果、上記切断機構部１２は、誤って手指が切断刃３２に触れることがなく、非常に高い安全性を有している。
【００２０】
本発明は上記した実施形態の構成に限定されるものではなく、以下のように実施形態の構成を変更してもよい。
上記切断機構部１２は、ホルダー本体１１に支持されたロールペーパーの上部に配されることに限らず、該ロールペーパーの前部や下部に配してもよい。
上記凸部４０を省略し、上記押付部３９でペーパーＰを裏蓋２４の内面等といった枠体２１の内面に直接的に押し付けるように構成してもよい。
付勢手段である上記第１バネ部材３５を省略してもよい。また付勢手段に代えて、可動刃３１の下面に重りを取り付ける等して、切断刃３２が切断時以外は常に待機位置に保持されるように構成してもよい。同様に、カム部材３６を付勢する付勢手段である上記第２バネ部材４３を省略してもよく、あるいはカム部材３６の下面の後ろ側に重りを取り付ける等して、カム部材３６の押圧部４２による操作部３４の押圧を解除する方向に該カム部材３６を付勢してもよい。
【産業上の利用可能性】
【００２１】
本発明のペーパーホルダーにあっては、十分な安全性を有するとともに、片手でペーパーを簡易かつ好適に切断することができるから、特に使用可能な手が右手又は左手の何れかに制限される障害者や高齢者向けのものとして、産業上の利用可能性がある。
【符号の説明】
【００２２】
１０      ペーパーホルダー
１１      ホルダー本体
１２      切断機構部
２１      枠体
２６      壁部
２７      繰出口
２８      貫通孔
３１      可動刃
３２      切断刃
３３      回動軸
３４      操作部
３６      カム部材
３８      当接部
３９      押付部
４２      押圧部
Ｐ        ペーパー
【図１】
0005799448.tif 000002
【図２】
0005799448.tif 000003
【図３】
0005799448.tif 000004
【図４】
0005799448.tif 000005
【図５】
0005799448.tif 000006
【図６】
0005799448.tif 000007
【図７】
0005799448.tif 000008
【図８】
0005799448.tif 000009